(57)【要約】【課題】薄型の電子機器であっても、電子機器ごとに異なるケーブル引き出し部の位置に合わせてケーブルの引き出し方向を変更することができ、かつケーブル引き出し位置でのケーブルの屈曲による芯線の断線を防止する仕組みを提供する。【解決手段】ＤＣカプラーは、電子機器１０に装着されるカプラー本体１００ａと、カプラー本体１００Ａに電気的に接続され、電子機器１０にカプラー本体１００Ａが装着された状態で、電子機器１０側のケーブル引き出し部１４を介して引き出されるケーブル１４１と、を備える。カプラー本体１００Ａは、カプラー本体１００Ａの電子機器１０への装着方向と直交し、かつ、相反する２方向にケーブル１４１を案内可能な溝部１１５を有し、ケーブル１４１には、カプラー本体１００Ａから離れた位置に配置されて、電子機器１０のケーブル引き出し部１４に保持されるケーブル断線防止部材１４３が設けられる。【選択図】図５
2013127914.tif 000002
【特許請求の範囲】
【請求項１】
電子機器に装着可能なカプラー本体と、
前記カプラー本体に電気的に接続され、前記電子機器に前記カプラー本体が装着された状態で、前記電子機器に形成されたケーブル引き出し部を介して引き出されるケーブルと、を備え、
前記カプラー本体は、前記カプラー本体の前記電子機器への装着方向と直交し、かつ、相反する２方向に前記ケーブルを案内可能な溝部を有し、
前記ケーブルには、前記カプラー本体から離れた位置に配置されて、前記電子機器の前記ケーブル引き出し部に保持されるケーブル断線防止部材が設けられることを特徴とするＤＣカプラー。
【請求項２】
前記溝部は、前記ケーブルを鈍角で少なくとも二段階で屈曲させて案内することを特徴とする請求項１に記載のＤＣカプラー。
【請求項３】
前記ケーブル断線防止部材は、前記ケーブルに固定されることを特徴とする請求項１又は２に記載のＤＣカプラー。
【請求項４】
前記ケーブル断線防止部材は、前記ケーブルに沿って移動可能に設けられ、電子機器のケーブル引き出し部に設けた凸部、又は凹部に嵌め込まれて固定されるケーブル固定部を有することを特徴とする請求項１又は２に記載のＤＣカプラー。
【発明の詳細な説明】
【技術分野】
【０００１】
本発明は、例えばデジタルカメラ等の電子機器に装着されるＤＣカプラーに関する。
【背景技術】
【０００２】
デジタルカメラ等の電子機器では、充電式電池を主電源として動作する一方で、充電式電池と略同状のＤＣカプラーを介して動作に必要な電源を交流電力から得るものがある。
【０００３】
従来のＤＣカプラーとしては、カプラー本体に回動可能に設けられるケーブル保持部を有し、電子機器側のケーブル引き出し部の位置に合わせて、ケーブル保持部が回動する技術が提案されている（特許文献１）。この提案では、電子機器側のケーブル引き出し部の位置が異なる場合でも、カプラー本体のケーブル保持部を回動させてケーブルの向きを調整することで、カプラーの互換性が向上するとしている。
【先行技術文献】
【特許文献】
【０００４】
【特許文献１】特開２００５−６４６７４号公報
【発明の概要】
【発明が解決しようとする課題】
【０００５】
しかし、上記特許文献１では、カプラー本体にケーブル保持部を設けるためには、カプラー本体の厚みがある程度必要であり、所謂スリムタイプの薄型の電子機器には適用することができない。また、上記特許文献１では、ケーブルの断線を防止する部材を備えていないため、電力供給時に電子機器側のケーブル引き出し位置で発生するケーブルの屈曲により芯線が断線するおそれがある。
【０００６】
そこで、本発明は、薄型の電子機器であっても、電子機器ごとに異なるケーブル引き出し部の位置に合わせてケーブルの引き出し方向を変更することができ、かつケーブル引き出し位置でのケーブルの屈曲による芯線の断線を防止する仕組みを提供する。
【課題を解決するための手段】
【０００７】
上記目的を達成するために、本発明のＤＣカプラーは、電子機器に装着されるカプラー本体と、前記カプラー本体に電気的に接続され、前記電子機器に前記カプラー本体が装着された状態で、前記電子機器に形成されたケーブル引き出し部を介して引き出されるケーブルと、を備え、前記カプラー本体は、前記カプラー本体の前記電子機器への装着方向と直交し、かつ、相反する２方向に前記ケーブルを案内可能な溝部を有し、前記ケーブルには、前記カプラー本体から離れた位置に配置されて、前記電子機器の前記ケーブル引き出し部に保持されるケーブル断線防止部材が設けられることを特徴とする。
【発明の効果】
【０００８】
本発明のＤＣカプラーによれば、薄型の電子機器であっても、電子機器ごとに異なるケーブル引き出し部の位置に合わせてケーブルの引き出し方向を変更することができ、かつケーブル引き出し位置でのケーブルの屈曲による芯線の断線を防止することができる。
【図面の簡単な説明】
【０００９】
【図１】本発明の第１の実施形態であるＤＣカプラーの正面図である。
【図２】図１に示すＤＣカプラーの斜視図である。
【図３】図２を下方から見た斜視図である。
【図４】デジタルカメラ、ＤＣカプラー、及びＡＣアダプターの斜視図である。
【図５】デジタルカメラの電池室にＤＣカプラーを装着する方法を説明するための斜視図である。
【図６】本発明の第２の実施形態であるＤＣカプラーの斜視図である。
【図７】デジタルカメラの電池室にＤＣカプラーを装着した状態での要部断面図である。
【発明を実施するための形態】
【００１０】
以下、本発明の実施形態を図面を参照して説明する。
【００１１】
（第１の実施形態）
図１は本発明の第１の実施形態であるＤＣカプラーの正面図、図２は図１に示すＤＣカプラーの斜視図、図３は図２を下方から見た斜視図である。
【００１２】
図１〜図３に示すように、本実施形態のＤＣカプラー１００は、カプラー本体１００Ａ、及びケーブル部１００Ｂを備える。カプラー本体１００Ａは、例えば樹脂成形品からなる背面ケース１１０と正面ケース１２０とを接着、ビス止め或いはスナップフィット機構等によって結合して形成される。
【００１３】
背面ケース１１０は、略Ｌ字形状をなして、カプラー本体１００Ａの上面板１０４及び背面板（不図示）を形成する。上面板１０４は、図１の左右方向に長い長方形状とされており、裏面側中央には、凸形状部１１３が下方に向けて突設されている。凸形状部１１３の中央部は、樹脂成形時のヒケ防止のため、肉抜きが設けられている。
【００１４】
また、凸形状部１１３における上面板１０４の左右方向の両側面には、下方に向けて次第に幅狭となる一対の斜面部１１８が設けられている。一対の斜面部１１８は、凸形状部１１３の両側に位置する上面板１０４の裏面の平面部１１９に滑らかに接続される。上面板１０４の裏面の平面部１１９には、それぞれ突起１１１が設けられている。
【００１５】
正面ケース１２０は、略矩形の箱状をなしており、図１の上面部が背面ケース１１０の凸形状部１１３及び平面部１１９と対向する対向板１２２を形成している。また、正面ケース１２０の図１の左右両側部は、カプラー本体１００Ａの両側板１０６を形成し、下面部は、カプラー本体１００Ａの底板１０３を形成し、正面部は、カプラー本体１００Ａの正面板１０２を形成している。
【００１６】
ここで、背面ケース１１０の上面板１０４、並びに正面ケース１２０の対向板１２２、両側板１０６、及び底板１０３は、図１の前後方向に幅狭な略同一の寸法とされており、これにより、薄型のカプラー本体１００Ａを構成している。
【００１７】
また、正面ケース１２０内には、不図示の基板が位置決め固定されている。基板には、コンデンサやフェライトビーズなどの電気部品や端子が実装され、また、ケーブル部１００Ｂの後述するケーブル１４１が半田付け等により電気的に接続される。
【００１８】
正面ケース１２０の底板１０３には、基板の端子に対応する端子窓１２５，１２６，１２７が形成されている。また、正面ケース１２０の対向板１２２の中央部には、背面ケース１１０の凸形状部１１３に対向する凹形状部１２３が形成され、凹形状部１２３の両側には、背面ケース１１０の一対の平面部１１９に対して平行に対向する一対の平面部１２９が形成されている。
【００１９】
凹形状部１２３の底面には、切欠き部１２４が形成されており、切欠き部１２４から基板に半田付けされたケーブル１４１が引き出される。また、凹形状部１２３には、凸形状部１１３の一対の斜面部１１８に対して平行に対向する一対の斜面部１２８が設けられている。一対の斜面部１２８は、凹形状部１２３の底面及び一対の平面部１２９に滑らかに接続されている。
【００２０】
そして、背面ケース１１０の凸形状部１１３及び一対の平面部１１９と、正面ケース１２０の凹形状部１２３及び一対の平面部１２９との間に、ケーブル案内用の溝部１１５が形成される。溝部１１５は、カプラー本体１００Ａの図１の左側の側面１０６の方向及び右側の側面１０６の方向に向けてケーブル１４１を案内可能とされている。ここでの図１の左側の側面１０６の方向及び右側の側面１０６の方向は、カプラー本体１００Ａの後述するデジタルカメラ１０の電池室への装着方向と直交し、かつ、相反する２方向の一例に相当する。
【００２１】
また、ケーブル１４１は、切り欠き部１２４で直角に折り曲げられるのではなく、鈍角で少なくとも二段階に折り曲げられて、カプラー本体１００Ａの側面１０６に向かって引き出されることになる。また、一対の平面部１２９には、突起１２１が設けられ、前述した突起１１１と共働してケーブル１４１が溝部１１５から外れるのを防止する。
【００２２】
なお、本実施形態では、互いに平行に配置されて背面ケース１１０の一対の平面部１１９と正面ケース１２０の一対の平面部１２９とを水平な面としているが、所定の勾配を持たせることも可能である。
【００２３】
次に、ケーブル部１００Ｂについて説明する。ケーブル部１００Ｂは、ケーブル１４１、中継ジャック１４２及びケーブル断線防止部材１４３を備える。
【００２４】
ケーブル１４１は、直流電力用のケーブルであり、１芯又は２芯のシールド線にＰＶＣ（ポリ塩化ビニル）樹脂やＰＯ（ポリオレフィン）樹脂等の被覆を施して形成される。中継ジャック１４２は、後述するＤＣプラグ２４４を差し込むことにより、ＡＣアダプター２００から直流電力の供給を受けることができる。
【００２５】
ケーブル断線防止部材１４３は、ＰＶＣ樹脂やＰＯ樹脂などの可撓性に優れた樹脂で形成され、ケーブル１４１に固定されて、カプラー本体１００Ａから僅かに離れた位置に配置される。また、ケーブル断線防止部材１４３は、可撓性をさらに向上させるために、外周部に複数箇所の凹部が設けられている。
【００２６】
ケーブル断線防止部材１４３をケーブル１４１に固定し、ＤＣカプラー１００に固定しない理由は、電子機器毎に異なるケーブル引き出し部の位置に対応するため、上述したように、ケーブル１４１の引き出し方向を変更できるようにしているからである。
【００２７】
次に、図４及び図５を参照して、電子機器の一例であるデジタルカメラ１０にＤＣカプラー１００を用いて電力を供給する方法について説明する。
【００２８】
図４において、ＡＣアダプター２００は、交流電力（商用電力）を直流電力に変換するもので、アダプター本体２４０の一端に、ケーブル断線防止部材２４３を介してＤＣケーブル２４１が接続されている。ＤＣケーブル２４１の先端部には、ＤＣプラグ２４４が設けられ、また、アダプター本体２４０の他端には、ＡＣインレット２４２が設けられている。ＡＣインレット２４２には、ＡＣケーブル２５１のＡＣプラグ２５４が接続され、ＡＣケーブル２５１の電源プラグ２５７は、コンセントに差し込まれる。
【００２９】
そして、デジタルカメラ１０の底面に設けられた電池蓋１２を開けて、電池室にＤＣカプラー１００のカプラー本体１００Ａを装着する。その際、カプラー本体１００Ａの正面板１０２がデジタルカメラ１０の正面側を向いた状態で、端子窓１２５〜１２７が形成されたカプラー本体１００Ａの底板１０３側からカプラー本体１００Ａを電池室に挿入する。
【００３０】
また、ケーブル断線防止部材１４３をデジタルカメラ１０のケーブル引き出し部の位置に設けられた引き出し溝１４に嵌め込んで保持した後、電池蓋１２を閉じる。この状態で、カプラー本体１００Ａの端子と電池室の内部に配置された電源用端子とが電気的に接続される。そして、ケーブル１４１の中継ジャック１４２に、ＡＣアダプター２００のＤＣプラグ２４４を差し込むことで、ＡＣアダプター２００からＤＣカプラー１００を介してデジタルカメラ１０に直流電力を供給することが可能となる。
【００３１】
以上説明したように、本実施形態では、カプラー本体１００Ａに形成してケーブル案内用の溝部１１５によってケーブル１４１を２方向に案内することができる。また、本実施形態では、カプラー本体１００Ａから僅かに離れた位置でケーブル１４１に固定されたケーブル断線防止部材１４３をデジタルカメラ１０のケーブル引き出し位置に設けた溝１４に嵌め込んでいる。これにより、薄型のデジタルカメラであっても、デジタルカメラごとに異なるケーブル引き出し部の位置に合わせてケーブル２４１の引き出し方向を変更でき、かつケーブル引き出し位置でのケーブル２４１の屈曲による芯線の断線を防止することができる。
【００３２】
（第２の実施形態）
次に、図６及び図７を参照して、本発明の第２の実施形態であるＤＣカプラーについて説明する。なお、上記第１の実施形態に対して重複又は相当する部分については、各図に同一符号を付して説明する。
【００３３】
本実施形態では、ケーブル部１００Ｂのケーブル断線防止部材１４３をケーブル１４１に沿って移動可能に取り付けている。また、ケーブル断線防止部材１４３の外周部にケーブル固定部の一例としての凸部１４３ａを設け、デジタルカメラ１０のケーブル引き出し部に凸部１４３ａが嵌め込まれる凹部１４ａを設けている。なお、ケーブル断線防止部材１４３の外周部に凹部を設け、デジタルカメラ１０のケーブル引き出し部に凸部を設けるようにしてもよい。
【００３４】
そして、デジタルカメラ１０の電池室にカプラー本体１００Ａを装着した状態でケーブル断線防止部材１４３をデジタルカメラ１０のケーブル引き出し部に対応する位置まで移動させ、凸部１４３ａを凹部１４ａに嵌め込んで固定する。その他の構成、及び作用効果は、上記第１の実施形態と同様である。
【００３５】
なお、本発明の構成は、上記各実施形態に例示したものに限定されるものではなく、材質、形状、寸法、形態、数、配置箇所等は、本発明の要旨を逸脱しない範囲において適宜変更可能である。
【符号の説明】
【００３６】
１０  デジタルカメラ
１３  電池室
１００  ＤＣカプラー
１００Ａ  カプラー本体
１００Ｂ  ケーブル部
１１５  溝部
１４１  ケーブル
１４３  ケーブル断線防止部材
【図１】
2013127914.tif 000003
【図２】
2013127914.tif 000004
【図３】
2013127914.tif 000005
【図４】
2013127914.tif 000006
【図５】
2013127914.tif 000007
【図６】
2013127914.tif 000008
【図７】
2013127914.tif 000009